【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
下記一般式（１）で表される化学構造を有する化合物を含有することを特徴とする画像形成用トナー。
【化１】
2007316255.tif 000001
〔一般式（１）中、Ｘａ，Ｘｂ，ＸｃおよびＸｄは、それぞれ独立に、下記（ａ）〜（ｄ）より選ばれる環状構造物を表し、Ｍは、水素２原子、２価の金属または３〜４価の金属誘導体を表す。但し、Ｘａ，Ｘｂ，ＸｃおよびＸｄの一つ以上が、前記（ｃ）および（ｄ）より選ばれる環状構造物である。〕
【化２】
2007316255.tif 000002
〔前記（ａ）〜（ｄ）で示される環状構造物は、＊位置で前記一般式（１）の含窒素５員環（ポルフィラジン環）に結合する。また、Ｒｘｎ１〜Ｒｘｎ４は、その引出し線が通過している環に付加する置換基であり、それぞれ独立に、水素原子、水酸基、炭素数１〜１８の飽和または不飽和炭化水素基、炭素数１〜１３の酸素および／または窒素含有炭化水素基を表す。〕
【請求項２】
像担持体表面に潜像を形成する潜像形成手段と、前記像担持体表面に形成された潜像を、トナーを含有する現像剤により現像してトナー像を形成する現像手段と、前記像担持体表面に形成されたトナー像を被転写体表面に転写する転写手段と、前記被転写体表面に転写されたトナー像を記録媒体表面に光定着し画像を形成する定着手段と、を有する画像形成装置であって、
前記トナーとして、請求項１に記載の画像形成用トナーを用いることを特徴とする光定着方式の画像形成装置。
【請求項３】
像担持体表面に潜像を形成する潜像形成手段と、前記像担持体表面に形成された潜像を、トナーを含有する現像剤により現像してトナー像を形成する現像手段と、前記像担持体表面に形成されたトナー像を被転写体表面に転写する転写手段と、前記被転写体表面に転写されたトナー像を記録媒体表面に定着し不可視画像を形成する定着手段と、を有する画像形成装置であって、
前記トナーとして、請求項１に記載の画像形成用トナーを用いることを特徴とする不可視画像形成用の画像形成装置。
【手続補正２】
【補正対象書類名】明細書
【補正対象項目名】００１７
【補正方法】変更
【補正の内容】
【００１７】
〔一般式（１）中、Ｘａ，Ｘｂ，ＸｃおよびＸｄは、それぞれ独立に、下記（ａ）〜（ｄ）より選ばれる環状構造物を表し、Ｍは、水素２原子、２価の金属または３〜４価の金属誘導体を表す。但し、Ｘａ，Ｘｂ，ＸｃおよびＸｄの一つ以上が、前記（ｃ）および（ｄ）より選ばれる環状構造物である。〕
【手続補正３】
【補正対象書類名】明細書
【補正対象項目名】００２０
【補正方法】変更
【補正の内容】
【００２０】
＜２＞  前記一般式（１）において、Ｘａ，Ｘｂ，ＸｃおよびＸｄの半数以上が、前記（ｃ）および（ｄ）より選ばれる環状構造物である前記＜１＞に記載の画像形成用トナーである。
＜３＞  前記一般式（１）において、Ｍが、バナジウム、アルミニウム、アンチモンおよびスズより選ばれる１種である前記＜１＞または＜２＞に記載の画像形成用トナーである。
＜４＞  前記一般式（１）で表される化学構造を有する化合物が、Ｘａ，Ｘｂ，ＸｃおよびＸｄに、２種以上の異なる環状構造物を有する前記＜１＞〜＜３＞の何れか１項に記載の画像形成用トナーである。
＜５＞  前記一般式（１）で表される化学構造を有する化合物として、２種以上の異なる化合物を含有する前記＜１＞〜＜４＞の何れか１項に記載の画像形成用トナーである。
＜６＞  光定着方式の画像形成に供される前記＜１＞〜＜５＞の何れか１項に記載の画像形成用トナーである。
＜７＞  不可視画像の形成に供される前記＜１＞〜＜３＞の何れか１項に記載の画像形成用トナーである。
【手続補正４】
【補正対象書類名】明細書
【補正対象項目名】００２１
【補正方法】変更
【補正の内容】
【００２１】
また、本発明の画像形成装置は、
＜８＞  像担持体表面に潜像を形成する潜像形成手段と、前記像担持体表面に形成された潜像を、トナーを含有する現像剤により現像してトナー像を形成する現像手段と、前記像担持体表面に形成されたトナー像を被転写体表面に転写する転写手段と、前記被転写体表面に転写されたトナー像を記録媒体表面に光定着し画像を形成する定着手段と、を有する画像形成装置であって、前記トナーとして、前記＜６＞に記載の画像形成用トナーを用いる光定着方式の画像形成装置である。
＜９＞  像担持体表面に潜像を形成する潜像形成手段と、前記像担持体表面に形成された潜像を、トナーを含有する現像剤により現像してトナー像を形成する現像手段と、前記像担持体表面に形成されたトナー像を被転写体表面に転写する転写手段と、前記被転写体表面に転写されたトナー像を記録媒体表面に定着し不可視画像を形成する定着手段と、を有する画像形成装置であって、前記トナーとして、前記＜７＞に記載の画像形成用トナーを用いる不可視画像形成用の画像形成装置である。
【手続補正５】
【補正対象書類名】明細書
【補正対象項目名】００２５
【補正方法】変更
【補正の内容】
【００２５】
〔一般式（１）中、Ｘａ，Ｘｂ，ＸｃおよびＸｄは、それぞれ独立に、下記（ａ）〜（ｄ）より選ばれる環状構造物を表し、Ｍは、水素２原子、２価の金属または３〜４価の金属誘導体を表す。但し、Ｘａ，Ｘｂ，ＸｃおよびＸｄの一つ以上が、前記（ｃ）および（ｄ）より選ばれる環状構造物である。〕
【手続補正６】
【補正対象書類名】明細書
【補正対象項目名】００３３
【補正方法】変更
【補正の内容】
【００３３】
更に、本発明者らの検討によると、本発明のトナーが、一般式（１）において、Ｘａ〜Ｘｄの内少なくとも１つ以上が（ｃ）または（ｄ）に示す環状構造物であることから、赤外光領域および可視光領域の吸収が、従来の赤外光吸収剤に比べ全体に長波長側にシフトすることが分かった。これにより、吸収がないことが望ましい６００ｎｍ〜７８０ｎｍのスペクトル領域についての光吸収量が減少するため、鮮やかな色調を有する赤外光吸収剤含有トナーとすることができる。
【手続補正７】
【補正対象書類名】明細書
【補正対象項目名】００３４
【補正方法】変更
【補正の内容】
【００３４】
また、本発明のトナーは、一般式（１）において、Ｘａ〜Ｘｄの内少なくとも１つ以上が（ｃ）または（ｄ）に示す環状構造物であるため、不可視画像の形成に好適に用いられる。少なくとも１つ以上の（ｃ）または（ｄ）に示す環状構造物を有することにより、上記の通り、従来の赤外光吸収剤に比べ光吸収領域が全体に長波長側にシフトし、可視領域の吸収が減じている。これにより、吸収がないことが望ましい６００ｎｍ〜７８０ｎｍのスペクトル領域についての光吸収量が減少するため、良好な色調（即ち不可視性）を有する赤外光吸収剤含有の不可視トナーとすることができる。また、可視領域のノイズが軽減されることで相対的に高いＳＮ比を得ることができ、結果として赤外光照射によるシグナル検出性をも向上させることができる。
なお、本発明のトナーは、特に上記不可視画像の形成に用いる場合などには、ヒートロール方式、オーブン方式、光定着方式、赤外光照射定着方式等、公知の定着方式により定着を行なうことができる。また、このようにして形成される不可視画像は、目で確認可能な画像であっても構わない。
【手続補正８】
【補正対象書類名】明細書
【補正対象項目名】００３８
【補正方法】変更
【補正の内容】
【００３８】
(1)環状構造物Ｘａ〜Ｘｄ
前記一般式（１）においてＸａ〜Ｘｄは、前記（ａ）〜（ｄ）より選ばれる環状構造物であり、少なくともＸａ〜Ｘｄの１つが（ｃ）または（ｄ）に示す環状構造物であり、Ｘａ〜Ｘｄの半数以上が（ｃ）または（ｄ）に示す環状構造物であることが特に好ましい。前述の通りＸａ〜Ｘｄの少なくとも何れか一つに前記（ｃ）または（ｄ）の環状構造物を有することから、赤外領域の発光スペクトルパターンに対する吸収バンドのスペクトルのマッチングが得られ、高い赤外光吸収能力が得られる。
【手続補正９】
【補正対象書類名】明細書
【補正対象項目名】００５６
【補正方法】変更
【補正の内容】
【００５６】
【表２】
2007316255.tif 000003
【手続補正１０】
【補正対象書類名】明細書
【補正対象項目名】００８７
【補正方法】変更
【補正の内容】
【００８７】
また、前記本発明のトナー、つまり一般式（１）において、Ｘａ〜Ｘｄの内少なくとも１つ以上が（ｃ）または（ｄ）に示す環状構造物であるトナーは、不可視画像形成用の画像形成装置に好適に用いられる。
即ち、上記本発明の不可視画像形成用の画像形成装置は、潜像担持体表面に静電潜像を形成する潜像形成手段と、前記潜像担持体表面に形成された静電潜像をトナーを含む現像剤により現像してトナー像を形成する現像手段と、前記潜像担持体表面に形成されたトナー像を被転写体表面に転写する転写手段と、前記被転写体表面に転写されたトナー像を記録媒体表面に定着し不可視画像を形成する定着手段と、を有し、この際前記トナーとして、一般式（１）において、Ｘａ〜Ｘｄの内少なくとも１つ以上が（ｃ）または（ｄ）に示す環状構造物である本発明のトナーが少なくとも用いられる。